(57)【要約】【課題】本発明は、悪臭の発生を防止する洗濯機を提供する。【解決手段】本発明の洗濯機は、ホース内面４２が長さ方向に平坦に形成され、ホース外面４１が長さ方向に凹凸形状が連なるように形成される排水ホースＨを備えることを特徴とする。これにより、排水ホースＨは、従来のものと異なってホース内面４２に洗い水等が滞留するのを防止し、洗剤カス、脂肪酸、雑菌等を含むフィルム状の汚れがホース内面４２に形成され難い。また、ホース内面４２に汚れが付着したとしても、排水時における洗い水等の水流によって汚れが除去され易い。よって、雑菌繁殖による悪臭の発生を防止することができる。【選択図】図５
2013056144.tif 000002
【特許請求の範囲】
【請求項１】
ホース内面が長さ方向に平坦に形成され、ホース外面が長さ方向に凹凸形状が連なるように形成される排水ホースを備えることを特徴とする洗濯機。
【請求項２】
請求項１に記載の洗濯機において、
前記ホース外面の前記凹凸形状は、当該排水ホースの中心軸周りに旋回するように形成される螺旋形状で構成されていることを特徴とする洗濯機。
【請求項３】
請求項１に記載の洗濯機において、
前記排水ホースは、抗菌防カビ剤を含む樹脂で形成されていることを特徴とする洗濯機。
【請求項４】
請求項３に記載の洗濯機において、
前記排水ホースは、前記ホース内面を形成する第１管状部材と、
前記第１管状部材の周面上で、前記凹凸形状を有する前記ホース外面を形成する第２管状部材と、を備え、
前記抗菌防カビ剤は、前記第１管状部材にのみ含まれていることを特徴とする洗濯機。
【請求項５】
請求項１から請求項４のいずれか１項に記載の洗濯機において、
槽洗浄機構を備え、前記槽洗浄機構による洗い水は、前記排水ホースを介して排出されることを特徴とする洗濯機。
【発明の詳細な説明】
【技術分野】
【０００１】
本発明は、洗濯機に関する。
【背景技術】
【０００２】
一般に、洗濯機の洗濯工程、すすぎ工程、脱水工程等の運転時に生じた排水は、洗濯槽兼脱水槽から所定の配管（排水ホース）を介して下水道に排出される。従来、洗濯機の排水ホースとしては、軟質低弾性の熱可塑性樹脂を蛇腹形状に成形して柔軟屈曲性を付与したものが知られている（例えば、特許文献１参照）。
このような排水ホースによれば、その柔軟屈曲性によって、洗濯機内における配管回し、下水道の排水口に接続する際の折り曲げ等が容易となる。
【先行技術文献】
【特許文献】
【０００３】
【特許文献１】特開平５−２３４８９号公報
【発明の概要】
【発明が解決しようとする課題】
【０００４】
ところで、蛇腹形状の従来の排水ホースは、その外側で蛇腹を形成する螺旋山部を有すると共に、その内側では外側の螺旋山部に対応するように螺旋溝部を有している。
一方、排水ホース内を通流する排水には、洗濯物の汚れ、リント等が含まれている。そして、この洗濯物の汚れ等は、排水ホースの内側に徐々に蓄積していき、洗剤カス、脂肪酸、雑菌等を含むフィルム状の汚れとなる。
しかしながら、このフィルム状の汚れは、排水ホースの内側に強固に付着して除去が困難であるばかりでなく、雑菌繁殖による悪臭を洗濯機内に放つ原因にもなる。
【０００５】
そこで、本発明の課題は、悪臭の発生を防止する洗濯機を提供することにある。
【課題を解決するための手段】
【０００６】
前記課題を解決した本発明の洗濯機は、ホース内面が長さ方向に平坦に形成され、ホース外面が長さ方向に凹凸形状が連なるように形成される排水ホースを備えることを特徴とする。
【発明の効果】
【０００７】
本発明によれば、悪臭の発生を防止する洗濯機を提供することができる。
【図面の簡単な説明】
【０００８】
【図１】本発明の実施形態に係る洗濯機（洗濯乾燥機）の外観斜視図である。
【図２】図１の洗濯機（洗濯乾燥機）における筐体の内部を示す概略図である。
【図３】図１の洗濯機（洗濯乾燥機）における槽洗浄機構の拡大断面図である。
【図４】図１の洗濯機（洗濯乾燥機）の槽洗浄時の水の流れを示す模式図である。
【図５】（ａ）は、本発明の実施形態に係る洗濯機（洗濯乾燥機）で使用される排水ホースの部分断面図、（ｂ）は、（ａ）の排水ホースの変形例を示す部分断面図である。
【図６】本発明の他の実施形態に係る洗濯機（洗濯乾燥機）における筐体の内部を示す概略図である。
【図７】図６の洗濯機（洗濯乾燥機）における槽洗浄機構の模式図である。
【発明を実施するための形態】
【０００９】
次に、本発明の実施形態について、適宜図面を参照しながら詳細に説明する。
本発明の実施形態に係る洗濯機は、雑菌の繁殖を抑制した排水ホースを備えることを主な特徴とする。
以下では、本実施形態に係る洗濯機の全体構成を説明した後に、排水ホースについて説明する。なお、本実施形態では、洗濯機として、洗濯から乾燥までの工程を行うことができる洗濯乾燥機を例に挙げて説明する。
図１は、本発明の実施形態に係る洗濯機（洗濯乾燥機）の外観斜視図である。図２は、図１の洗濯機（洗濯乾燥機）における筐体の内部を示す概略図である。
【００１０】
（洗濯乾燥機）
図１に示すように、洗濯乾燥機１Ａは、洗濯兼脱水槽８（内槽、図２参照）の回転軸が略鉛直方向の縦型式洗濯機（縦型式洗濯乾燥機）である。この洗濯乾燥機１Ａの筐体２の上部には上面カバー２ａが設けられており、上面カバー２ａには外蓋３が設けられている。外蓋３は、山型に折れ曲がりながら後ろ側に開くことにより、開口部２ｂ（図２参照）を開口し、洗濯兼脱水槽８（図２参照）に衣類等（洗濯物）が出し入れ可能になっている。
【００１１】
上面カバー２ａの奥側（後側）には、水道栓からの給水ホース接続口４及び風呂の残り湯の吸水ホース接続口５が設けられている。上面カバー２ａの手前側には、電源スイッチ６が設けられ、外蓋３の手前側には、操作スイッチ７ａ及び表示器７ｂからなる操作パネル７が設けられている。
【００１２】
図２に示すように、洗濯乾燥機１Ａは、筐体２内に、洗濯兼脱水槽８、外槽９、駆動装置１０、洗剤・仕上剤の投入装置１１、給水ユニット１２Ａ、乾燥ダクト２０等を備えている。
【００１３】
洗濯兼脱水槽８は、有底円筒形状を呈し、ステンレス鋼板等で形成された胴板８ａを有している。胴板８ａには、通水及び通風のための多数の貫通孔８ａ１（一部のみ図示）が形成されている。洗濯兼脱水槽８は、内側底面に回転翼８ｂを備える。
【００１４】
外槽９は、有底円筒形状を呈し、洗濯兼脱水槽８を同軸上に内包し、その上部に外槽カバー９ａを備えて構成されている。洗濯乾燥機１Ａの使用者は、外蓋３及び外槽カバー９ａの蓋部材９ｃを開くことにより、開口部２ｂから洗濯兼脱水槽８内に洗濯物の出し入れを行うことができる。
【００１５】
駆動装置１０は、外槽９の底面の外側中央に配置されている。この駆動装置１０は、モータ１０ａとクラッチ機構１０ｂとを有し、駆動装置１０の回転軸１０ｃが外槽９を貫通し、洗濯兼脱水槽８及び回転翼８ｂと結合するように構成されている。クラッチ機構１０ｂは、モータ１０ａの回転動力を洗濯兼脱水槽８及び回転翼８ｂの少なくともいずれかに伝達する機能を有する。モータ１０ａは、その回転を検出するホール素子あるいはフォトインタラプタ等で構成される回転検出装置２８と、モータ１０ａに流れる電流を検出するモータ電流検出装置２９を備える。
【００１６】
投入装置１１は、上面カバー２ａの手前側に備えられる。洗剤や仕上剤の投入は、投入ホース１１ａにより後記する水道水と共に外槽９と洗濯兼脱水槽８の間に行われる。
【００１７】
給水ユニット１２Ａは、上面カバー２ａの奥側に設けられる。この給水ユニット１２Ａは、給水ホース接続口４からの水道水を投入装置１１、後記する水冷除湿機構（図示せず）へ給水する。また、給水ユニット１２Ａは、給水ホース接続口４からの水道水や吸水ホース接続口５（図１参照）からの風呂水を、注水ホース１１ｂを介して、外槽９と洗濯兼脱水槽８の間から外槽９内に注水することができる。また、給水ユニット１２Ａは、給水ホース接続口４からの水道水を、洗浄ホース１１ｃを介して洗濯兼脱水槽８の上部に注水することができる。
【００１８】
外槽９の底面に設けられた落込部９ｍは、下部連通管１３と連通している。下部連通管１３は、排水弁１４を介して、洗濯水排水路１５と連通するように接続されている。
そして、この下部連通管１３及び洗濯水排水路１５には、後に詳しく説明する排水ホースＨ（図５参照）が使用されている。
ちなみに、排水弁１４を閉弁することにより、外槽９内に洗い水やすすぎ水を貯水可能となる。また、排水弁１４を開弁することにより、外槽９内の水（洗い水、すすぎ水）を、洗濯水排水路１５を介して、洗濯乾燥機１Ａの機外へ排水することができる。また、後記する槽洗浄機構５５（図３参照）の洗い水も、外槽９から落込部９ｍを介して下部連通管１３及び洗濯水排水路１５へと排水できるようになっている。
【００１９】
また、下部連通管１３は、筐体２の下部に設置された異物除去装置１６及び循環ポンプ１７を介して洗濯水循環水路１８（一部省略）と連通するように接続されている。また、洗濯水循環水路１８は、洗濯兼脱水槽８より上側に設けられた糸くず除去装置（図示せず）と連通するように接続されている。
【００２０】
循環ポンプ１７を駆動すると、外槽９内の水が、落込部９ｍ及び下部連通管１３を介して異物除去装置１６に流入し異物が除去され、循環ポンプ１７の吸込口に流入する。循環ポンプ１７から送られた水は、洗濯水循環水路１８を介して糸くず除去装置に流入し糸くずが除去され、糸くずが除去された水（循環水）は洗濯兼脱水槽８内に上部から散布するように注水される。
【００２１】
乾燥ダクト２０は、筐体２の背面内側に縦方向に設置され、ダクト下部は外槽９の落込部９ｍとゴム製の蛇腹管２０ａによって接続されている。乾燥ダクト２０内には、水冷除湿機構（図示せず）が内蔵されており、給水ユニット１２Ａは、この水冷除湿機構に冷却水（水道水）を供給する。冷却水は乾燥ダクト２０の壁面（ステンレス製等の金属プレート）を伝わって流下して落込部９ｍに入り、下部連通管１３、洗濯水排水路１５を通り機外へ排出される。
【００２２】
乾燥ダクト２０の出口はファン２１の吸気口と接続され、ファン２１の出口はヒータ２２と接続されている。ヒータ２２の出口は、送風ダクト２３及びゴム製の蛇腹管２３ａを介して、吹出ノズル２４と接続されている。
【００２３】
つまり、ファン２１が駆動すると、外槽９内の空気が落込部９ｍを介して乾燥ダクト２０に流れ込む。そして、乾燥ダクト２０で水冷除湿された空気は、ファン２１から吐出され、次いでヒータ２２で加熱された後、高温低湿の風となって吹出ノズル２４から洗濯兼脱水槽８内に向けて吹き出される。
【００２４】
なお、図示していないが、下部連通管１３と排水弁１４の間には、洗濯水の温度や、乾燥運転中に洗濯水排水路１５から機外に排出される空気の温度を検出する温度センサが設けられている。
【００２５】
洗濯兼脱水槽８は、胴板８ａの上端縁部に合成樹脂等で形成されたバランスリング（流体バランサともいう）８ｃを備えている。このバランスリング８ｃは、その内部に比重の大きな流体を封入して構成され、洗濯兼脱水槽８の回転時に洗濯物の偏り等によって偏心が生じたときに、バランスリング８ｃ内での流体の移動によって偏心をキャンセルし、回転のバランスを維持する働きを有する。
【００２６】
外槽カバー９ａは、略半円形状の投入口を有し、外槽９の上端縁部に取り付けられる。なお、投入口には、開閉可能に取り付けられた蓋部材９ｃが設けられている。また、図示しないが、外槽カバー９ａの奥側（後側）には、洗濯水循環水路１８の端部が接続される接続口、蛇腹管２３ａが接続される接続口、後記する槽洗浄用の洗浄ホース１１ｃが接続される接続口が設けられている。
【００２７】
外槽カバー９ａには、次に説明する槽洗浄機構５５を構成する水路部材５０が、複数のねじを介して外槽カバー９ａの下面に固定されている。この水路部材５０は、略環状形状に形成されており、外槽カバー９ａの周縁部に沿って周回する（ひとまわりする）よう配置されている。
【００２８】
次に参照する図３は、槽洗浄機構の拡大断面図である。図４は、本発明の実施形態に係る洗濯機（洗濯乾燥機）の槽洗浄時の水の流れを示す模式図である。
図３に示すように、槽洗浄機構５５は、前記の水路部材５０を備え、洗濯兼脱水槽８及び外槽９を洗浄するように構成されている。
水路部材５０の内側面５０ｂには、２４個の側面側散水口５０ｂ１が周方向に間隔を置いて形成されている（一つのみ図示）。水路部材５０の底面には、４個の底面側散水口５０ａ１（一つのみ図示）が周方向に間隔を置いて形成されている。
【００２９】
底面側散水口５０ａ１は、内側を向くように鉛直方向に対して傾斜するように水路部材５０を貫通している。底面側散水口５０ａ１及び側面側散水口５０ｂ１は、それぞれ本実施形態の個数に限定されるものではなく、洗濯乾燥機１Ａの種類や内部の構造に応じて適宜増減することができる。
【００３０】
水路部材５０は、前記したように、外槽カバー９ａの周方向に沿って形成されて下側が開放している凹部９ａ１に配置されている。
本実施形態での水路部材５０は、合成樹脂等で略円形に形成され、凹面が外槽カバー９ａ側を向くようにして形成された凹条の水路５０ｓを有している。
また、凹部９ａ１の底面９ａ２には、２本の溝９ａ３，９ａ４が、水路部材５０の内側面５０ｂ、外側面５０ｃに対応する位置に形成されている。この溝９ａ３，９ａ４にシール部材（図示せず）を注入して、溝９ａ３，９ａ４に内側面５０ｂ、外側面５０ｃを付き合わせた状態において、取付部５１，５２を外槽カバー９ａにねじ固定することによって水路部材５０が外槽カバー９ａに対して水密に固定される。また、このとき、水路部材５０の側面側散水口５０ｂ１は、凹部９ａ１の側壁部９ａ５と対向している。
【００３１】
このようにして水路部材５０を外槽カバー９ａに取り付けることで、本実施形態では、水路部材５０が、洗濯兼脱水槽８（バランスリング８ｃ）と外槽９との間の隙間Ｔに対応する位置に配置される。
【００３２】
そして、図４に示すように、このような槽洗浄機構５５を備えた洗濯乾燥機１Ａにおいては、水路部材５０の側面側散水口５０ｂ１から水道水が吐出されると、実線矢印で示すように、外槽カバー９ａに形成された凹部９ａ１（図３参照）の底面９ａ２に当たり、そして洗濯兼脱水槽８のバランスリング８ｃの外周縁部上面８ｃ１に降りかかる。このとき、洗濯兼脱水槽８は高速で回転しているので、バランスリング８ｃの外周縁部上面８ｃ１に降りかかった水道水は、洗濯兼脱水槽８の回転時の遠心力によって外槽９の内周面９ｓに向けて吹き飛ばされる。外槽９の内周面９ｓまで飛ばされた水道水は、重力の作用により外槽９の内周面９ｓを鉛直方向下方に向けて流れ落ちる。また、水路部材５０に側面側散水口５０ｂ１が複数形成されるとともに遠心力によって吹き飛ばされるので、外槽９の上部において、その内周面９ｓの全体に水道水が吹き付けられ、その後下方に流れ落ちる。したがって、外槽９の内周面の上部から下部までの全体に水道水が流れることになる。よって、外槽９の内周面の全体の汚れやゴミが取り除かれ、また汚れやゴミの付着を抑制することができる。
【００３３】
また、水路部材５０の底面側散水口５０ａ１から水道水が散水されると、洗濯兼脱水槽８の上部（バランスリング８ｃ）の外周面８ｓに吹き付けられる。外周面８ｓに吹き付けられた水道水は、重力の作用により洗濯兼脱水槽８の外周面８ｓを鉛直方向下方に向けて流れ落ちる。なお、側面側散水口５０ｂ１から外周縁部上面８ｃ１に滴下した水道水の一部も、図１２において細い破線で示すように、重力の作用により、洗濯兼脱水槽８の外周面８ｓを下方へと流れ落ちる。
【００３４】
このようにして、水路部材５０の側面側散水口５０ｂ１と底面側散水口５０ａ１から水道水を洗濯兼脱水槽８の上部（外周縁部）に散水することにより、外槽９の内周面９ｓ及び洗濯兼脱水槽８の外周面８ｓに対する汚れやごみの付着を抑制することができる。
【００３５】
また、この槽洗浄工程では、給水された水道水が外槽９の底に溜められた状態で洗濯兼脱水槽８を高速で回転させるので、洗濯兼脱水槽８の外側の底面に付着した汚れやゴミを除去することができ、また汚れやゴミが付着するのを抑制することができる。
【００３６】
ちなみに、外槽９及び洗濯兼脱水槽８の洗浄によって除去された汚れやごみは、前記したように、外槽９から落込部９ｍを介して下部連通管１３及び洗濯水排水路１５へと排水されることとなる。
【００３７】
（排水ホース）
次に、本実施形態における排水ホースについて説明する。
本実施形態における排水ホースは、前記したように、下部連通管１３（図２参照）及び洗濯水排水路１５（図２参照）に使用されている。さらに詳しく説明すると、図２中、網掛け（ドット）を付したように、全ての洗濯水排水路１５と、落込部９ｍから排水弁１４まで延在する下部連通管１３のうち、振動源となる駆動装置１０寄りに配置される部分及び外槽９の振動が伝わる落込部９ｍ近傍部分を除いた下部連通管１３部分と、に排水ホースが使用されることが望ましい。
【００３８】
図５（ａ）は、本発明の実施形態に係る洗濯機（洗濯乾燥機）で使用される排水ホースの部分断面図、図５（ｂ）は、図５（ａ）の排水ホースの変形例を示す部分断面図である。
図５（ａ）に示すように、排水ホースＨは、直管状の内周面を有すると共に、排水ホースＨの中心軸Ａｘ周りに旋回するように形成される螺旋形状をその外周面に有している。これにより、排水ホースＨは、ホース内面４２が長さ方向に平坦に形成され、ホース外面４１が長さ方向に凹凸形状が連なるように形成されている。
そして、凹凸形状を構成する螺旋山部４１ａの高さと、螺旋谷部４１ｂの深さとは等しく、螺旋山部４１ａと螺旋谷部４１ｂとの間隔は、長さ方向に等ピッチとなっている。
【００３９】
このような本実施形態での排水ホースＨは、抗菌防カビ剤を含む樹脂を、押出し成形法を使用して成形し得られたものである。
なお、排水ホースＨの成形方法としては、押出し成形法に限定されずに、例えば、ＲＩＭ成形、注型、ＲＩ等の他の成形方法を使用することもできる。
【００４０】
抗菌防カビ剤としては、例えば、銀、銅、亜鉛ゼオライト等の無機系の抗菌剤、イミダゾール系抗菌剤、チアゾリン系抗菌剤、アニオン性高分子と第４級アンモニウム塩との塩等の有機系の抗菌剤を挙げることができるが、これらに限定されるものではなく、公知の他の抗菌防カビ剤を使用することもできる。
【００４１】
樹脂としては、例えば、軟質塩化ビニル樹脂、ポリエチレン樹脂、エチレン−プロピレン共重合ゴム、フッ素ゴム、シリコンゴム、ニトリルゴム、ネオプレンゴム、天然ゴム、ブタジエンゴム、イソプレンゴム、スチレン−ブタジエン−スチレンブロック共重合体、スチレン−イソプレン−スチレンブロック共集合体、エチレン−酢酸ビニル共集合体、アクリロニトリル−ブタジエン共重合体、クロロプレン、エチレン−プロピレン−ジエン三元共重合体等が挙げられるが、これらに限定されるものではなく、公知の他の軟質低弾性樹脂、中でも軟質低弾性の熱可塑性樹脂を好適に使用することもできる。
【００４２】
排水ホースＨを形成する抗菌防カビ剤含有の樹脂組成物における抗菌防カビ剤と樹脂との配合率としては、抗菌防カビ剤の抗菌力（防カビ力）に応じて決定することができるが、通常、抗菌防カビ剤を１〜１５質量％の範囲内、樹脂を８５〜９９質量％の範囲内とすることができる。
【００４３】
また、抗菌防カビ剤含有の樹脂組成物には、必要に応じて、例えば、酸化防止剤、充填材、補強材、発泡剤、消泡剤、揺変性付与剤、帯電防止剤、分子量調整剤、高分子改質剤、難燃剤、可塑剤、顔料、染料、着色剤、エラストマー等の種々の添加剤を配合することができる。
【００４４】
このような図５（ａ）に示す排水ホースＨは、１種類の樹脂組成物から形成されるものを想定しているが、本発明は、２種類以上の樹脂組成物で構成することもできる。
図５（ｂ）に示すように、この排水ホースＨは、ホース内面４２を形成する第１管状部材４４と、この第１管状部材４４の周面上で、凹凸形状を有するホース外面４１を形成する第２管状部材４３と、を備えている。
【００４５】
第１管状部材４４は、抗菌防カビ剤含有の樹脂組成物で円筒状に形成されたものである。
第２管状部材４３は、第１管状部材４４の中心軸Ａｘと同軸周りに旋回するように形成される螺旋形状をその外周面に有している。これにより、排水ホースＨは、ホース内面４２が長さ方向に平坦に形成され、ホース外面４１が長さ方向に凹凸形状が連なるように形成されている。
そして、第２管状部材４３は、抗菌防カビ剤を含有しない樹脂組成物（抗菌防カビ剤非含有の樹脂組成物）で形成されている。
【００４６】
次に、本発明の実施形態に係る洗濯乾燥機１Ａの作用効果について説明する。
本実施形態に係る洗濯乾燥機１Ａでは、外槽９内で所定の洗い工程、すすぎ工程、及び脱水工程のそれぞれが実行された後、外槽９内から洗い水（すすぎ水）が排出される際、並びに槽洗浄工程が実行された後、外槽９内から洗い水が排出される際に、この洗い水等は、落込部９ｍ、下部連通管１３及び洗濯水排水路１５を介して洗濯乾燥機１Ａの機外へ排水される。
【００４７】
そして、下部連通管１３及び洗濯水排水路１５には、前記の排水ホースＨ（図５（ａ）及び（ｂ）参照）が使用されている。
ところで、前記したように、排水ホースＨ内を通流する洗い水には、洗濯物の汚れ、リント等が含まれている。そして、従来の洗濯機（例えば、特許文献１参照）では、洗濯物の汚れ等が排水ホースの内側に徐々に蓄積していき、洗剤カス、脂肪酸、雑菌等を含むフィルム状の汚れとなる。このようなフィルム状の汚れは、排水ホースの内側に強固に付着して雑菌繁殖による悪臭を洗濯機内に放つ。
【００４８】
これに対して、本実施形態に係る洗濯乾燥機１Ａの下部連通管１３及び洗濯水排水路１５に使用される排水ホースＨ（図５（ａ）及び（ｂ）参照）は、従来の蛇腹状の内周面（螺旋状溝）を有するものと異なって、ホース内面４２が長さ方向に平坦になっている。
これにより、本実施形態での排水ホースＨは、従来のものと異なってホース内面４２に洗い水等が滞留するのを防止することができる。
したがって、本実施形態に係る洗濯乾燥機１Ａによれば、洗剤カス、脂肪酸、雑菌等を含むフィルム状の汚れがホース内面４２に形成され難い。また、ホース内面４２に汚れが付着したとしても、ホース内面４２が平坦になっているので、排水時における洗い水等の水流によって汚れが除去され易い。
よって、本実施形態に係る洗濯乾燥機１Ａによれば、従来のものと異なって、ホース内面４２に汚れが蓄積し難く、雑菌繁殖による悪臭の発生を防止することができる。
【００４９】
また、本実施形態に係る洗濯乾燥機１Ａによれば、排水ホースＨが抗菌防カビ剤含有の樹脂組成物で形成されているので、ホース内面４２での雑菌繁殖を防止することができる。したがって、本実施形態に係る洗濯乾燥機１Ａによれば、より確実に悪臭の発生を防止することができる。
【００５０】
また、本実施形態に係る洗濯乾燥機１Ａでは、槽洗浄機構５５による槽洗浄水（洗い水）に、喩え洗濯排水よりも多くの汚れ等が含まれる場合であっても、この洗濯乾燥機１Ａによれば、従来のものと異なってホース内面４２に洗い水が滞留するのを防止することができるので、またホース内面４２が抗菌防カビ性を発揮するので、悪臭の発生を確実に防止することができる。
【００５１】
また、本実施形態に係る洗濯乾燥機１Ａによれば、ホース外面４１が長さ方向に凹凸形状が連なるように形成されているので、フレキシブルでありながらも、強度が向上する。これにより、曲げによる排水ホースＨのつぶれを防止することができる。
【００５２】
また、図５（ｂ）に示す排水ホースＨによれば、第１管状部材４４の厚さを薄くすると共に、樹脂組成物中の抗菌防カビ剤の配合率を増加させることで、ホース内面４２への抗菌防カビ剤の移行性を向上させて抗菌防カビ性能を高めることができる。そして、第２管状部材４３は、薄い第１管状部材４４を補強することで、排水ホースＨの全体強度を向上させることができる。そして、第２管状部材４３は、抗菌防カビ剤を含まないので、構成される樹脂本来の特性（強度等）を十分に発揮することができる。
【００５３】
以上、本発明の実施形態について説明したが、本発明は前記実施形態に限定されず、種々の形態で実施することができる。
前記実施形態では、縦型式洗濯機（縦型式洗濯乾燥機）の下部連通管１３及び洗濯水排水路１５に本実施形態に係る排水ホースＨを適用する例について説明したが、本発明はドラム式洗濯乾燥機に排水ホースＨを適用することもできる。
【００５４】
次に参照する図６は、本発明の他の実施形態に係る洗濯機（洗濯乾燥機）の筐体の内部を示す概略図である。図７は、本発明の他の実施形態に係る洗濯機（洗濯乾燥機）の水路部材を示す模式図である。
図６に示すように、洗濯乾燥機１Ｂは、ドラム式洗濯乾燥機であり、筐体２Ａ、破線で示す回転ドラム（内槽）８Ａ、外槽９Ａ、駆動装置１０Ａ等を備えている。また、洗濯乾燥機１Ｂは、図７に示すように、槽洗浄機構５５を構成する水路部材５０Ａ，５０Ｂ、この水路部材５０Ａ，５０Ｂに給水する給水ユニット１２Ｃ、及び分岐ホース１１ｃ１、１１ｃ２を更に備えている。
【００５５】
図６に示すように、破線で示す回転ドラム８Ａ（内槽）は、筐体２Ａ内に設けられ、回転可能に支持された円筒状の洗濯兼脱水槽として機能するようになっている。この回転ドラム８Ａは、前側（手前側）端面に衣類を出し入れするための開口部８ｄを有するとともに、その周壁及び底壁（奥側）に通水及び通風のための多数の貫通孔（図示省略）を有している。開口部８ｄの縁部には、回転ドラム８Ａと一体のバランスリング８ｅが設けられている。また、回転ドラム８Ａの内周壁には、奥行き方向（軸方向）に延びるリフタ８ｆが複数個設けられており、洗濯、乾燥時に回転ドラム８Ａが回転すると、衣類等がリフタ８ｆと遠心力で周壁に沿って持ち上がり、重力で落下する動きを繰り返すようになっている。なお、回転ドラム８Ａの回転中心は、開口部８ｄ側が高くなるように傾斜している。
【００５６】
外槽９Ａは、回転ドラム８Ａを同軸上に内包するとともに前面が開口した円筒状に形成され、内部が洗濯室及び乾燥室として機能するようになっている。外槽９Ａの前面の開口には、合成樹脂製の外槽カバー９ｈが設けられ、外槽９Ａ内への貯水を可能としている。外槽カバー９ｈの前側（手前側）中央には、衣類等を出し入れするための開口部９ｈ１が形成されている。この開口部９ｈ１と図示しない補強部材に設けた開口部は、ゴム製のパッキンで接続されている。このパッキンは、外槽９Ａとドア３Ａとの水密性を維持する役割を果たしている。これにより、洗い、すすぎ及び脱水時の水漏れの防止が図られている。外槽９Ａの底面には、排水口９ｉが設けられている。
【００５７】
この排水口９ｉには、ゴム製の蛇腹管１３ａを介して下部連通管１３が接続されている。下部連通管１３は、排水弁１４を介して、洗濯水排水路１５と連通するように接続されている。
そして、この下部連通管１３及び洗濯水排水路１５には、後に詳しく説明する排水ホースＨ（図５参照）が使用されている。
ちなみに、排水弁１４を閉弁することにより、外槽９Ａ内に洗い水やすすぎ水を貯水可能となる。また、排水弁１４を開弁することにより、外槽９Ａ内の水（洗い水、すすぎ水）を、洗濯水排水路１５を介して、洗濯乾燥機１Ｂの機外へ排水することができる。また、後記する槽洗浄機構５５（図７参照）の洗い水も、外槽９Ａから排水口９ｉを介して下部連通管１３及び洗濯水排水路１５へと排水できるようになっている。
【００５８】
また、下部連通管１３は、循環ポンプ１７を介して洗濯水循環水路１８（一部省略）と連通するように接続されている。また、洗濯水循環水路１８は、回転ドラム８Ａより上側に設けられた糸くず除去装置（図示せず）と連通するように接続されている。
【００５９】
循環ポンプ１７を駆動すると、外槽９Ａ内の水が、排水口９ｉ及び下部連通管１３を介して循環ポンプ１７の吸込口に流入する。循環ポンプ１７から送られた水は、洗濯水循環水路１８を介して糸くず除去装置に流入し糸くずが除去され、糸くずが除去された水（循環水）は回転ドラム８Ａ内に上部から散布するように注水される。
【００６０】
駆動装置１０Ａは、回転ドラム８Ａを回転駆動するものであり、外槽９Ａの背面中央に設けられている。なお、駆動装置１０Ａの回転軸１０ｇは、外槽９Ａを貫通し、回転ドラム８Ａの背面に設けられた金属製フランジ１０ｈと結合している。
【００６１】
また、洗濯乾燥機１Ｂは、筐体２Ａの内部に送風ダクト（送風路）２０Ａを備えている。送風ダクト２０Ａは、外槽９Ａの背面側を上下方向（鉛直方向）に延びる後ダクト２０ｂと、外槽９Ａの上面側を後方から前方に延びる上ダクト２０ｃとを有している。後ダクト２０ｂの下部は、外槽９Ａの背面下部に設けられた出口９ｊが柔軟構造のベローズ２０ｄを介して略水平に接続されている。なお、後ダクト２０ｂ内には、水冷除湿機構（図示せず）が設けられている。
また、送風ダクト２０Ａの下部には、排水弁１４の下流において洗濯水排水路１５と合流するように接続されるオーバーフローホース３０が接続されている。このオーバーフローホース３０の上流端は、ベローズ２０ｄよりも上側に位置するように接続されている。
【００６２】
上ダクト２０ｃの下流側には、送風手段としてのファン２１Ａと加熱手段としてのヒータ２２Ａとを備えた送風ファンユニットが設けられている。送風ファンユニットが作動すると、ファン２１Ａの吸引力によって上ダクト２０ｃから送風ファンユニット内に空気が取り込まれ、ヒータ２２Ａを通過することにより、取り込まれた空気が加熱されて、送風ファンユニットの吐出口（図示せず）から排出される。また、空気が後ダクト２０ｂを通過する際、図示しない水冷除湿機構によって冷却されて除湿が行われる。送風ファンユニットから排出された加熱空気は、温風ダクト２０ｋ、ベローズ２０ｌ、吹き出しノズル２０ｍを介して回転ドラム８Ａ内に供給されるようになっている。
【００６３】
図７に示すように、外槽カバー９ｈには、槽洗浄用として水道水を散水する水路部材５０Ａが取り付けられる。この水路部材５０Ａは、略弓形形状（円弧形状）を呈し、外槽カバー９ｈの内面の上部に周方向に沿って、換言すると回転ドラム８Ａの周方向に沿って配置されている。また、水路部材５０Ａは、円周の四分の１程度の長さで形成され、中央から左右に同様の長さで延びるように配設されている。
【００６４】
水路部材５０Ａには、外槽カバー９ｈの内周面に向けて散水される散水口５０ｂ２が周方向に沿って複数形成されているので、各散水口５０ｂ２から散水された水道水は、重力の作用によって外槽カバー９ｈの内周面を鉛直方向の下方へと流れ落ちる。また、水路部材５０Ａの両端部に形成された散水口５０ｃ２からは、外槽カバー９ｈの内周面に向けて散水されるので、外槽カバー９ｈの左右両端部の内周面に対しても散水できる。したがって、外槽カバー９ｈの内周面全体に水道水を流すことが可能になる。
【００６５】
また、水路部材５０Ａには、回転ドラム８Ａの前端上部に向けて散水される散水口５０ａ２が形成されているので、散水口５０ａ２から散水された水道水は、回転ドラム８Ａの遠心力によって、外槽９Ａの内周面に向けて飛び散らせることができる。
【００６６】
外槽９Ａの底面（奥側の面）には、槽洗浄用として水道水を散水する水路部材５０Ｂが取り付けられる。この水路部材５０Ｂは、略弓形状（円弧形状）を呈し、外槽９Ａの底面（奥側の面）の上部に周方向に沿って、換言すると回転ドラム８Ａの周方向に沿って配置されている。また、水路部材５０Ｂは、円周の四分の１程度の長さで形成され、中央から左右に同様の長さで延びるように配設されている。
【００６７】
水路部材５０Ｂには、回転ドラム８Ａの底板に向けて散水する散水口５０ｂ３，５０ｂ３が形成されているので、この散水口５０ｂ３から散水された水道水は、回転ドラム８Ａが回転することにより、回転ドラム８Ａの底板の外周全体に散水されることになる。
【００６８】
また、水路部材５０Ｂには、外槽９Ａの底面に向けて散水する複数の散水口５０ｂ４が形成されているので、散水口５０ｂ４から底面に散水された水道水は、重力の作用によって、外槽９Ａの底面を上部から下部へ向けて流れ落ちる。したがって、外槽９Ａの底面の全体に水道水を流すことが可能になる。
【００６９】
このような洗濯乾燥機１Ｂ（図６参照）において、前記の排水ホースＨ（図５（ａ）及び（ｂ）参照）は、前記したように、下部連通管１３（図６参照）及び洗濯水排水路１５（図６参照）に使用されている。さらに詳しく説明すると、図６中、網掛け（ドット）を付したように、全ての洗濯水排水路１５及びオーバーフローホース３０と、下部連通管１３（蛇腹管１３ａと排水弁１４及び循環ポンプ１７との間で延びる下部連通管１３）と、に排水ホースＨが使用されることが望ましい。
【００７０】
以上の洗濯乾燥機では乾燥機能を有するものについて説明したが、本発明は乾燥機能を有しない縦型式洗濯機、ドラム式洗濯機であってもよい。
また、前記実施形態では、図５（ａ）及び（ｂ）に示したように、螺旋山部４１ａを有する排水ホースＨについて説明したが、本発明はホース外面４１（図５（ａ）及び（ｂ）参照）に、環状の山部が長さ方向に複数並んで形成された凹凸形状を有する構成とすることもできる。
【符号の説明】
【００７１】
１Ａ    洗濯乾燥機
１Ｂ    洗濯乾燥機
８      洗濯兼脱水槽（内層）
８Ａ    回転ドラム
９      外槽
９Ａ    外槽
１０    駆動装置
１０Ａ  駆動装置
１１    投入装置
１２Ａ  給水ユニット
１２Ｃ  給水ユニット
１３    下部連通管
１４    排水弁
１５    洗濯水排水路
１７    循環ポンプ
４１    ホース外面
４１ａ  螺旋山部
４１ｂ  螺旋谷部
４２    ホース内面
４３    第２管状部材
４４    第１管状部材
５０    水路部材
５０Ａ  水路部材
５０Ｂ  水路部材
５０ａ２  散水口
５０ｂ２  散水口
５０ｂ３  散水口
５０ｂ４  散水口
５０ｃ２  散水口
５５    槽洗浄機構
Ｈ      排水ホース
【図１】
2013056144.tif 000003
【図２】
2013056144.tif 000004
【図３】
2013056144.tif 000005
【図４】
2013056144.tif 000006
【図５】
2013056144.tif 000007
【図６】
2013056144.tif 000008
【図７】
2013056144.tif 000009